(57)【要約】【課題】所定の表示を容易に変更できる遊技機を提供する。【解決手段】内部にＬＥＤ９０が配設された本体部８２と、該本体部８２に取り付けられるとともに、ＬＥＤ９０からの光を透過して所定の表示を視認させ得る表示部８３とを有した演出ユニット２７を所定部位に備えたパチンコ遊技機１であって、表示部８３は、ロック部９３の係止部材９５が被係止部材９４に係止されることによって、本体部８２に対して嵌合又は係止によって脱着自在とされたものである。【選択図】図１０
2018033814.tif 000002
【特許請求の範囲】
【請求項１】
内部に光源が配設された本体部と、
該本体部に取り付けられるとともに、前記光源からの光を透過して所定の表示を視認させ得る表示部と、
を有した演出ユニットを所定部位に備えた遊技機であって、
前記表示部は、前記本体部に対して嵌合又は係止によって脱着自在とされたことを特徴とする遊技機。
【請求項２】
前記本体部は、前記遊技機の枠部材に取り付けられるとともに、前記表示部は、前記遊技機に関する所定の表示を視認させ得ることを特徴とする請求項１記載の遊技機。
【請求項３】
前記表示部は、前記本体部に対して固定可能なロック部を有するとともに、当該ロック部は、前記遊技機で遊技する遊技者から視認困難な位置に形成されたことを特徴とする請求項１又は請求項２記載の遊技機。
【発明の詳細な説明】
【技術分野】
【０００１】
本発明は、内部に光源が配設された本体部と、本体部に取り付けられるとともに、光源からの光を透過して所定の表示を視認させ得る表示部とを有した演出ユニットを所定部位に備えた遊技機に関するものである。
【背景技術】
【０００２】
パチンコやスロットマシンなどの遊技機のガラス枠には、従来、内部に光源が配設されるとともに、光源からの光を透過して所定の表示を視認させ得る演出ユニットが提案されている。かかる演出ユニットは、例えば、遊技機の遊技状態に応じて移動及び回転する移動回転体を有するとともに、移動回転体の内部から光が放出されて演出効果を高めるよう構成されていた。なお、かかる先行技術は、文献公知発明に係るものでないため、記載すべき先行技術文献情報はない。
【発明の概要】
【発明が解決しようとする課題】
【０００３】
しかしながら、上記従来技術においては、例えば遊技機を入れ替えて所定の表示を変更したい場合、演出ユニット全体を交換する必要があった。
【０００４】
本発明は、このような事情に鑑みてなされたもので、所定の表示を容易に変更できる遊技機を提供することにある。
【課題を解決するための手段】
【０００５】
請求項１記載の発明は、内部に光源が配設された本体部と、該本体部に取り付けられるとともに、前記光源からの光を透過して所定の表示を視認させ得る表示部とを有した演出ユニットを所定部位に備えた遊技機であって、前記表示部は、前記本体部に対して嵌合又は係止によって脱着自在とされたことを特徴とする。
【０００６】
請求項２記載の発明は、請求項１記載の遊技機において、前記本体部は、前記遊技機の枠部材に取り付けられるとともに、前記表示部は、前記遊技機に関する所定の表示を視認させ得ることを特徴とする。
【０００７】
請求項３記載の発明は、請求項１又は請求項２記載の遊技機において、前記表示部は、前記本体部に対して固定可能なロック部を有するとともに、当該ロック部は、前記遊技機で遊技する遊技者から視認困難な位置に形成されたことを特徴とする。
【発明の効果】
【０００８】
本発明によれば、所定の表示を容易に変更できる遊技機を提供することができる。
【図面の簡単な説明】
【０００９】
【図１】本発明の実施形態に係る演出ユニットがガラス枠に取り付けられた状態の遊技機を示す正面模式図
【図２】同遊技機の構成要素を示すブロック図
【図３】同遊技機における電動チューリップの状態を示す模式図であって、（ａ）閉止状態、（ｂ）開成状態、を示す図
【図４】同遊技機における枠部材（ガラス枠、外枠及び内枠）を示す斜視図
【図５】本実施形態に係る移動回転体が進出位置に位置している場合の演出ユニットを示す全体図（正面側）
【図６】本実施形態に係る移動回転体が進出位置に位置している場合の演出ユニットを示す全体図（背面側）
【図７】本実施形態に係る移動回転体が原点位置に位置している場合の演出ユニットを示す全体図
【図８】本実施形態に係る移動回転体が進出位置に位置している場合の演出ユニットを示す側面図
【図９】本実施形態に係る移動回転体の内部構成を示す平面図
【図１０】本実施形態に係る移動回転体の内部構成を示す横断面図
【図１１】本実施形態に係る移動回転体の本体部に表示部が取り付けられた状態を示す斜視図
【図１２】本実施形態に係る移動回転体の本体部に表示部が取り付けられた状態を示す斜視図
【図１３】本実施形態に係る移動回転体の本体部に対する表示部の取り付け構造（ロック前）を示す背面図
【図１４】本実施形態に係る移動回転体の本体部に対する表示部の取り付け構造（ロック後）を示す背面図
【発明を実施するための形態】
【００１０】
以下、本発明の実施形態について図面を参照しながら具体的に説明する。
本実施形態に係る遊技機は、パチンコ遊技機１から成るもので、図１に示すように、ガラス板２から遊技者が遊技盤４を目視し得るよう構成されるとともに、かかる遊技盤４には、種々役物や複数の釘、或いは風車等が形成されている。さらに、遊技盤４には、第１始動口６、第２始動口７ａ（図３参照）を有した電動チューリップ７、大入賞口８、及びゲート９等が形成されている。なお、パチンコ遊技機１の下方右隅部にはハンドル１４が配設されており、該ハンドル１４の回動操作により受け皿１３内の遊技球を遊技盤４へ打ち出すよう構成されるとともに、遊技内容に応じて遊技者が任意に押圧操作可能な操作ボタン３が取り付けられている。
【００１１】
第１始動口６と電動チューリップ７は、遊技盤４上の図柄表示部５（具体的には液晶画像表示装置）の下方において、上下に並んで配置されたものであり、それぞれが独立して遊技球を入賞させ得るようになっている。このうち、第１始動口６は、遊技球が入賞すると大当たりか否か判定可能な数値データ（具体的には、大当たり用乱数値及び演出用乱数値）を取得させるものであり、上方に向けて開口して遊技球の入賞を常に許容した状態とされている。
【００１２】
電動チューリップ７内の第２始動口７ａは、可変入賞口と呼ばれるもので、図３に示すように、電動チューリップ７が、遊技球の入賞を規制する閉止状態（同図（ａ）参照）から、遊技球の入賞を許容する開成状態（同図（ｂ）参照）まで動作することにより、遊技球が入賞可能とされるものである。しかして、第２始動口７ａは、電動チューリップ７が開成状態となって遊技球が入賞すると、大当たりか否か判定可能な数値データ（具体的には、大当たり用乱数値及び演出用乱数値）を取得させるようになっている。
【００１３】
さらに、本実施形態に係るパチンコ遊技機１には、例えば７セグ等から成る第１特別図柄表示手段１０及び第２特別図柄表示手段１１がそれぞれ形成されている。第１特別図柄表示手段１０は、第１始動口６に遊技球が入賞すると特別図柄（第１特別図柄）を変動表示させ、当該第１始動口６への入賞時に取得した乱数値（大当たり用乱数値）に応じた特別図柄を停止表示させるものであり、第２特別図柄表示手段１１は、電動チューリップ７が開成状態とされることで遊技球が入賞すると、特別図柄（第２特別図柄）を変動表示させ、当該電動チューリップ７への入賞時に取得した乱数値（大当たり用乱数値）に応じた特別図柄を停止表示させるものである。
【００１４】
すなわち、第１始動口６に対する入賞と電動チューリップ７の第２始動口７ａに対する入賞とでは、互いに独立した制御がなされることとなり、第１始動口６への入賞時には第１特別図柄表示手段１０による第１特別図柄の変動表示が開始され、電動チューリップ７の第２始動口７ａへの入賞時には第２特別図柄表示手段１１による第２特別図柄の変動表示が開始されるようになっている。
【００１５】
ゲート９は、遊技球が通過可能とされたものであり、他の入賞口と異なり、通過による賞球の払出はなされないものである。また、第１特別図柄表示手段１０及び第２特別図柄表示手段１１の近傍には普通図柄表示手段１２が配設されている。かかる普通図柄表示手段１２は、ゲート９を遊技球が通過すると普通図柄を変動表示（本実施形態においては、丸印とバツ印とを交互に点灯表示）させ、所定の普通図柄（本実施形態においては丸印）が停止表示されると、「当たり」となって電動チューリップ７を所定時間開成させるようになっている。
【００１６】
なお、本実施形態においては、第１始動口６への入賞時よりも電動チューリップ７（第２始動口）に入賞したときの方が、遊技者に有利となり得るよう設定されている。例えば、高確率遊技状態において、電動チューリップ７の第２始動口７ａに入賞した際には、短当たりとなる確率が極めて低く（或いは短当たりにはならない）設定される一方、同じく高確率遊技状態であっても、第１始動口６に入賞した際には、遊技状態が短当たりとなる確率が比較的高く設定されている。
【００１７】
ここで、「短当たり」とは、第１始動口６もしくは第２始動口７ａに遊技球が入球したことを条件として行われる大当たり状態の抽選において、短当たり遊技を実行する権利を獲得した場合に実行される遊技状態をいう。かかる「短当たり遊技状態」においては、大入賞口８が開放されるラウンド遊技を「長当たり」より少ない計２回行うものとされるが、各ラウンド遊技においては、大入賞口８が１回のみ開放し、その開放時間が０．１秒に設定されている。
【００１８】
これに対し、「長当たり」とは、第１始動口６または第２始動口７ａに遊技球が入球したことを条件として行われる大当たりの抽選において、長当たり遊技を実行する権利を獲得した場合に実行される遊技状態をいう。かかる「長当たり遊技状態」においては、大入賞口８が開放されるラウンド遊技を計１５回行うものとされ、各ラウンド遊技における大入賞口８の総開放時間は最大３０秒に設定されており、この間に大入賞口８に所定個数の遊技球（例えば９個）が入球すると、１回のラウンド遊技が終了となるよう設定されている。
【００１９】
図柄表示部５は、遊技盤４の略中央に配設された液晶画像表示装置等から成り、その画面に所定の図柄や背景等を表示し得るとともに、第１特別図柄表示手段１０に対応した図柄（装飾図柄）又は第２特別図柄表示手段１１に対応した図柄（装飾図柄）を変動表示又は停止表示可能とされている。そして、所定の図柄が停止表示（例えば同一図柄が揃って停止表示）されることにより「大当たり状態」が発生し、大入賞口８を所定時間及びタイミングで開口させ、多数の遊技球を獲得できるよう構成されている。
【００２０】
本発明（本実施形態を含む）においては、図柄表示部５にて変動表示又は停止表示される第１特別図柄に対応した装飾図柄を「第１特別図柄」とも称するとともに、図柄表示部５にて変動表示又は停止表示される第２特別図柄に対応した装飾図柄を「第２特別図柄」とも称するものとする。すなわち、第１特別図柄表示手段１０にて変動又は停止表示される第１特別図柄、及び第２特別図柄表示手段１１にて変動又は停止表示される第２特別図柄は、図柄表示部５にて変動又は停止表示される装飾図柄と常に対応する関係にあるので、図柄の名称を同一としているのである。
【００２１】
なお、図柄表示部５にて停止表示された図柄が予め定められた特定の図柄である場合（即ち、第１始動口６又は電動チューリップ７の第２始動口７ａへの入賞時に取得した乱数値（大当たり用乱数値）に応じて予め定められた特別図柄が第１特別図柄表示手段１０又は第２特別図柄表示手段１１で停止表示された場合）には、大当たりの発生確率が通常より高められる特典が遊技者に与えられる。すなわち、大当たり状態の終了時に、その大当たり状態を生じさせた停止図柄が特定図柄であることを条件に、次の大当たりが高確率で発生するという特典が遊技者に与えられるのである。このように、大当たり状態が通常確率で発生する遊技状態を通常確率遊技状態と称するとともに、大当たり状態が当該通常確率よりも高確率で発生する遊技状態を高確率遊技状態と称するものとする。
【００２２】
第１特別図柄保留ランプ１５は、図柄表示部５（第１特別図柄表示手段１０及び第２特別図柄表示手段１１も同様）にて図柄（第１特別図柄又は第２特別図柄）が変動表示されている間において、第１始動口６に遊技球が入賞した場合、所定個数（本実施形態においては４個）を限度として、その入賞した遊技球を保留球として保留させるものである。同様に、第２特別図柄保留ランプ１６は、図柄表示部５（第１特別図柄表示手段１０及び第２特別図柄表示手段１１も同様）にて図柄（第１特別図柄又は第２特別図柄）が変動表示されている間において、第１始動口６に遊技球が入賞した場合、所定個数（本実施形態においては４個）を限度として、その入賞した遊技球を保留球として保留させるものである。
【００２３】
さらに、本実施形態に係るパチンコ遊技機１の裏面には、図２に示すように、メイン制御基板１７と、サブ制御基板１８とが配設されている。このうち、サブ制御基板１８は、メイン制御基板１７から送信された制御信号に基づき各種制御を行わせるもので、図柄表示部５やスピーカ等と電気的に接続された演出制御基板１９と、装飾ランプや可動役物等と電気的に接続されたランプ制御基板２０と、払出駆動モータ等と電気的に接続された払出制御基板２１とを有して構成されている。
【００２４】
メイン制御基板１７は、パチンコ遊技機１全般に亘る遊技内容を制御するもので、ＣＰＵ、ＲＯＭ及びＲＡＭ等を有して構成されている。このメイン制御基板１７には、既述した第１特別図柄表示手段１０、第２特別図柄表示手段１１、普通図柄表示手段１２、第１特別図柄保留ランプ１５及び第２特別図柄保留ランプ１６の他、第１始動口６及び第２始動口７ａへの遊技球の入賞を検知するための始動口ＳＷ、電動チューリップ７を駆動させるための電動チューリップ７のソレノイド、ゲート９の遊技球の通過を検知するためのゲートＳＷ、大入賞口８への遊技球の入賞を検知するための大入賞口ＳＷ及び当該大入賞口８を駆動させるための大入賞口ソレノイド等が電気的に接続されている。
【００２５】
本実施形態に係るメイン制御基板１７は、始動口（第１始動口６及び第２始動口７ａ）への遊技球の入賞を契機として遊技者に有利な大当たり状態又ははずれを決定するための大当たり用数値データ（乱数値）及び演出形態を決定するための演出用数値データ（乱数値）を取得する抽選手段２２と、始動口（第１始動口６及び第２始動口７ａ）に遊技球が入賞したことを契機として取得された数値データ（大当たり用数値データ及び演出用数値データ）を保留データとして記憶する記憶手段２３とを有している。特に、本実施形態に係る記憶手段２３は、第１始動口６に遊技球が入賞したことを契機として取得された数値データ（大当たり用数値データ及び演出用数値データ）を第１保留データとして記憶し、第２始動口７ａに遊技球が入賞したことを契機として取得された数値データ（大当たり用数値データ及び演出用数値データ）を第２保留データとして記憶するものとされている。
【００２６】
演出制御基板１９は、ＣＰＵ、ＲＯＭ及びＲＡＭ等を有して構成されたもので、メイン制御基板１７から送信された制御信号に基づき主に演出に関わる各種制御を行わせるものである。なお、演出制御基板１９は、ランプ制御基板２０とも電気的に接続されており、メイン制御基板１７から送信された制御信号に基づき、ランプ制御基板２０を介して、装飾ランプや可動役物等を制御して所定の演出を行わせるよう構成されている。
【００２７】
ところで、本実施形態に係るパチンコ遊技機１は、図４に示すように、遊技店の島設備に取り付けられる外枠２５と、その外枠２５に対して回動可能に支持された内枠２６、及びその内枠２６の前方側で該内枠２６に対して回動可能に支持されたガラス枠２４を備えている。ガラス枠２４には、ガラス板２が裏側から着脱自在に設けられる。また、ガラス枠２４の所定位置には、ガラス枠２４が開放されたことを検出するための図示しないガラス枠開放スイッチが設けられているとともに、内枠２６の所定位置には、内枠２６が開放されたことを検出するための図示しない内枠開放スイッチが設けられている。かかる内枠２６には、パチンコ遊技機１を構成する主要な機構や種々の部品及び基板などが設けられるとともに、遊技盤４が着脱自在に設けられている。
【００２８】
ここで、本実施形態に係るパチンコ遊技機１のガラス枠２４（枠部材）の上部には、図５〜７に示すように、演出ユニット２７が所定部位（本実施形態においては上部）に取り付けられている。かかる演出ユニット２７は、原点位置（図７の位置）と進出位置（図５、６の位置）との間を変位可能な移動回転体２８と、この移動回転体２８を支持する支持部材２９とを有している。支持部材２９は、ガラス枠２４の前面側（外側）に固定される基部３０と、ガラス枠２４の前面側（外側）に立設するように、基部３０の周縁に形成されて移動回転体２８を支持する立設部３１ａ、３１ｂとを有している。
【００２９】
図５、６に示すように、基部３０には、移動回転体２８の移動（原点位置と進出位置との間の移動）を制御するための移動制御機構が設けられており、この移動制御機構は、基部３０に設けられるモータ機構３２と、モータ機構３２の左右に設けられるワイヤ張力調整機構３３ａ、３３ｂを有している。なお、モータ機構３２及びワイヤ張力調整機構３３ａ、３３ｂの具体的な構成については、後述する。
【００３０】
また、基部３０には、ランプ制御基板２０（図２参照）に電気的に接続され、パチンコ遊技機１の遊技情報を入力して移動回転体２８を所定の態様に移動制御する移動回転体制御基板３４が設けられている、この移動回転体制御基板３４は、演出ユニット２７において、左側のワイヤ張力調整機構３３ｂを略覆うように設けられており、従って、図５〜図７においては、左側のワイヤ張力調整機構３３ｂは、移動回転体制御基板３４で略隠れた状態になっている。
【００３１】
図５、６において、基部３０の左右両端には、基本コイルスプリング３５ａ、３５ｂの下端（原点側の端部）が止着される筒状の止着部材３６ａ、３６ｂが立設され、止着部材３６ａ、３６ｂの図中手前側には、補助コイルスプリング３７ａ、３７ｂの原点側への移動を規制する規制板３８ａ、３８ｂが設けられている。これら止着部材３６ａ、３６ｂ及び規制板３８ａ、３８ｂは、基部３０に対して所定距離だけ進出位置側に形成されている。
【００３２】
また、規制板３８ａ、３８ｂの表面略中央には、ゴム等で形成された緩衝部材３９ａ、３９ｂが設けられている。基本コイルスプリング３５ａ、３５ｂと補助コイルスプリング３７ａ、３７ｂとは、前後に重なるように僅かな間隔を持って平行状に形成され、前側に補助コイルスプリング３７ａ、３７ｂが位置し、後側に基本コイルスプリング３５ａ、３５ｂが位置するように設けられている。
【００３３】
図８に示すように、立設部３１ａには、移動回転体２８が進出する方向と平行状に溝４０ａが穿設されている。なお、図８は、演出ユニット２７の図５、６における（移動回転体２８が進出位置に位置している場合の）右側面図である。また、演出ユニット２７の左側面図は省略するが、立設部３１ｂにも、溝４０ａと同様な溝４０ｂが穿設されている。さらに、立設部３１ａ、３１ｂには、図５、６における溝４０ａ、４０ｂの奥側内面に、溝４０ａ、４０ｂと平行状の、すなわち移動回転体２８が進出する方向と平行状の第２ガイド部材４１ａ、４１ｂが付設されている。
【００３４】
移動回転体２８の右端部である立設部３１ａには、溝４０ａと平行状の、すなわち移動回転体２８が進出する方向と平行状の第１ガイド部材４２ａが付設されている。また、図８に示すように、サイドカバー４３ａの上部から奥側下方にかけて、第１ストッパ部４４ａ及び第２ストッパ部４５ａを段差状（第１ストッパ部４４ａが高い位置）に有する覆い部材４６ａが設けられている。そして、第１ストッパ部４４ａの下方には、後述の第１スライド部材４７ａを収納する第１収納溝４９ａが、第２ストッパ部４５ａの下方には、後述の第２スライド部材４８ａを収納する第２収納溝５０ａがそれぞれ形成されている。
【００３５】
さらに、サイドカバー４３ａの下側には、補助コイルスプリング３７ａの上端部を止着する内部が空洞の止着部５４ａが設けられている。なお、同様に、移動回転体２８の左端部であるサイドカバー４３ｂには、第１収納溝４９ｂ、第２収納溝５０ｂ、第１ガイド部材４２ｂ、第１ストッパ部４４ｂ及び第２ストッパ部４５ｂを有する覆い部材４６ｂ及び止着部５４ｂが設けられている。
【００３６】
図中、符号５１ａ、５１ｂはスライド機構を示しており、このスライド機構５１ａ、５１ｂは、移動回転体２８と、支持部材２９（基部３０及び立設部３１ａ、３１ｂ）とを連結している。すなわち、スライド機構５１ａ、５１ｂは、移動回転体２８の進出方向及びその移動範囲を規定するための機能を有するものとされている。スライド機構５１ａ、５１ｂは、移動回転体２８に設けられた第１ガイド部材４２ａ、４２ｂに係合する第１スライド部材４７ａ、４７ｂと、立設部３１ａ、３１ｂに設けられた第２ガイド部材４１ａ、４１ｂに係合する第２スライド部材４８ａ、４８ｂとを備えている。
【００３７】
図８に示すように、第１スライド部材４７ａ、４７ｂと第２スライド部材４８ａ、４８ｂとは、段差状（第１スライド部材４７ａ、４７ｂが高い位置）に一体的に形成され、第１スライド部材４７ａ、４７ｂは、第２スライド部材４８ａ、４８ｂの手前側に位置している。また、第１スライド部材４７ａ、４７ｂの第１ガイド部材４２ａ、４２ｂと係合する面は、内側を向いており、第２スライド部材４８ａ、４８ｂの第２ガイド部材４１ａ、４１ｂと係合する面は、外側を向いている。
【００３８】
さらに、第１スライド部材４７ａ、４７ｂの第１ガイド部材４２ａ、４２ｂとの係合面と反対面の原点側端部には、外側に突出して溝４０ａ、４０ｂにスライド自在に遊嵌する円柱状のスライド突起５２ａ、５２ｂが突設されている。このスライド突起５２ａ、５２ｂは、第１スライド部材４７ａ、４７ｂ及び第２スライド部材４８ａ、４８ｂの進出方向の移動範囲を規定するための機能、すなわち移動回転体２８の移動範囲を規定するための機能を有する。
【００３９】
第１スライド部材４７ａ、４７ｂの下端（原点側の端部）には、補助コイルスプリング３７ａ、３７ｂの下端を止着する内側に突出する板状の止着部材５３ａ、５３ｂが設けられている。従って、補助コイルスプリング３７ａ、３７ｂは、止着部５４ａ、５４ｂと止着部材５３ａ、５３ｂとにより両端が固定され、移動回転体２８のサイドカバー４３ａ、４３ｂとスライド機構５１ａ、５１ｂとに掛け渡される。
【００４０】
なお、止着部５４ａ、５４ｂと止着部材５３ａ、５３ｂとの間には、止着部５４ａ、５４ｂと止着部材５３ａ、５３ｂを連結する丸棒状の連結部材５５ａ、５５ｂが移動回転体２８の進出方向と平行状に設けられ、補助コイルスプリング３７ａ、３７ｂの内部には、この連結部材５５ａ、５５ｂが遊挿されている。すなわち、連結部材５５ａ、５５ｂは、補助コイルスプリング３７ａ、３７ｂを安定的に移動回転体２８の進出方向に案内して伸縮させる機能を有する。
【００４１】
第２スライド部材４８ａ、４８ｂの上端（進出側の端部）には、基本コイルスプリング３５ａ、３５ｂの上端を止着する内側に突出する板状の止着部材５６ａ、５６ｂが設けられている。従って、基本コイルスプリング３５ａ、３５ｂは、止着部材３６ａ、３６ｂと止着部材５６ａ、５６ｂとにより両端が固定され、基部３０の左右端部とスライド機構５１ａ、５１ｂとに掛け渡される。
【００４２】
なお、止着部材３６ａ、３６ｂと止着部材５６ａ、５６ｂとの間には、止着部材３６ａ、３６ｂと止着部材５６ａ、５６ｂを連結する丸棒状の連結部材５７ａ、５７ｂが移動回転体２８の進出方向と平行状に設けられ、基本コイルスプリング３５ａ、３５ｂの内部には、この連結部材５７ａ、５７ｂが遊挿されている。すなわち、連結部材５７ａ、５７ｂは、基本コイルスプリング３５ａ、３５ｂを安定的に移動回転体２８の進出方向に案内して伸縮させる機能を有する。
【００４３】
図中、符号５８ａ、５８ｂはワイヤを示しており、移動回転体２８のサイドカバー４３ａ、４３ｂ奥側の下部（原点側部）には、このワイヤ５８ａ、５８ｂの一端（進出側端）を止着する止着部材５９ａ、５９ｂが設けられている。また、基部３０に設けられたモータ機構３２には、ワイヤ５８ａ、５８ｂの他端（原点側端）が止着されるようになっている。また、止着部材５９ａ、５９ｂとモータ機構３２の間には、ワイヤ張力調整機構３３ａ、３３ｂが設けられている。つまりワイヤ５８ａ、５８ｂは、ワイヤ張力調整機構３３ａ、３３ｂを介して移動回転体２８の左右端部とモータ機構３２とに止着されている。
【００４４】
ここで、図５を参照して、モータ機構３２の構成について説明する。モータ機構３２は、モータ６０と、ウォーム６１とウォーム歯車６２とからなるウォームギア６３と、ワイヤ巻取部６４とを有している。モータ６０は、ステッピングモータであり、移動回転体制御基板３４とハーネス６５で接続され、移動回転体制御基板３４からの指令に基づいて、双方向（正回転、逆回転）に所定のステップ数回転可能に制御される。なお、移動回転体制御基板３４は、ハーネス６５によりランプ制御基板２０と接続されて当該パチンコ遊技機１の遊技情報を入力し、この入力した遊技情報に基づいてモータ６０に指令を出すよう構成されている。
【００４５】
ウォーム６１は、モータ６０のモータ軸に取り付けられる螺旋状に歯が切られたねじ状歯車であって、モータ軸の回転に連動して双方向（正回転、逆回転）に回転する。かかるウォーム６１は、ウォーム歯車６２と噛合してウォームギア６３を構成しており、自身の回転によりウォーム歯車６２を回転させる。このウォーム歯車６２は、ウォーム６１と噛合する多数の歯を持つ円盤状歯車であって、ウォーム６１の回転に連動して双方向（正回転、逆回転）に回転する。なお、モータ６０のモータ軸（ウォーム６１の軸）とウォーム歯車６２の軸との軸角は略９０度に設定されている。
【００４６】
図５において、ワイヤ巻取部６４は、ウォーム歯車６２の下方に設けられ、通常時は、ウォーム歯車６２の回転に連動して双方向（正回転、逆回転）に回転する。ワイヤ巻取部６４は、上下２段に巻取部が形成され、本実施形態では、上段に右側のワイヤ５８ａを、下段に左側のワイヤ５８ｂを巻き取るようになっている。つまり、ワイヤ５８ａの他端（原点側端）はワイヤ巻取部６４の上段側に、ワイヤ５８ｂの他端（原点側端）はワイヤ巻取部６４の下段側に止着されている。
【００４７】
ここで、ウォーム歯車６２とワイヤ巻取部６４との間には、図示しないトルクリミッタが設けられており、このトルクリミッタ作動時には、ウォーム歯車６２がそれ以上回転しても、ウォーム歯車６２からワイヤ巻取部６４へのそれ以上のトルク伝達は遮断され、ワイヤ巻取部６４は回転せずに、停止状態を維持する。更に、ウォーム歯車６２とワイヤ巻取部６４との間には、図示しないクラッチ機構が設けられており、このクラッチ機構により、ウォーム歯車６２からワイヤ巻取部６４への動力伝達の断続を制御する。
【００４８】
次に、図５を用いて、ワイヤ張力調整機構３３ａ、３３ｂの構成について説明する。なお、ワイヤ張力調整機構３３ａとワイヤ張力調整機構３３ｂとは、同様な構成であるので、ここでは、代表してワイヤ張力調整機構３３ａについて説明する。ワイヤ張力調整機構３３ａは、２つの固定プーリーとしての縦プーリー６６、横プーリー６７と、２つの移動プーリーとしての第１プーリー６８、第２プーリー６９とを有している。
【００４９】
図５において、縦プーリー６６は、縦方向に回動可能に設けられるプーリーであって、基本コイルスプリング３５ａの下端が止着される止着部材３６ａの左側に配置され、移動回転体２８の止着部材５９ａから延びるワイヤ５８ａを該縦プーリー６６の下側で係止し、略９０度方向を変えて横プーリー６７に誘導している。なお、縦プーリー６６と止着部材５９ａとの間に位置するワイヤ５８ａは、移動回転体２８の進出方向と略同じ方向に張架される。
【００５０】
横プーリー６７は、横方向に回動可能に設けられるプーリーであって、縦プーリー６６の後側に配置され、縦プーリー６６から延びるワイヤ５８ａを該横プーリー６７の後側で係止し、略１８０度方向を変えて第１プーリー６８に誘導している。第１プーリー６８は、横方向に回動可能に設けられるプーリーであって、横プーリー６７の左側に配置され、横プーリー６７から延びるワイヤ５８ａを該第１プーリー６８の前側で係止し、第２プーリー６９に誘導している。第２プーリー６９は、横方向に回動可能に設けられるプーリーであって、第１プーリー６８の左側、つまりワイヤ巻取部６４の右側に配置され、第１プーリー６８から延びるワイヤ５８ａを該第２プーリー６９の後側で係止し、ワイヤ巻取部６４の上段側に該ワイヤ巻取部６４の前側から誘導している。
【００５１】
上記の構成により、移動回転体２８の止着部材５９ａから延びるワイヤ５８ａは、縦プーリー６６、横プーリー６７、第１プーリー６８及び第２プーリー６９を経由してワイヤ巻取部６４の上段側に誘導される。なお、縦プーリー６６、横プーリー６７、第１プーリー６８及び第２プーリー６９には、ワイヤ５８ａを挿通するための挿通孔が設けられており、従って、ワイヤ５８ａが緩んだ場合であっても、該ワイヤ５８ａが縦プーリー６６、横プーリー６７、第１プーリー６８及び第２プーリー６９から外れて離間することはない。
【００５２】
ここで、基部３０には、図５、６において、その前後方向に架設された２本の丸棒状の第１スライド軸７０、第２スライド軸７１が並設されており、第１スライド軸７０が右側、第２スライド軸７１が左側に配置されている。しかして、第１スライド軸７０には、第１プーリー６８と、該第１プーリー６８を常時前側に付勢する第１コイルスプリング７２とが遊嵌され、第２スライド軸７１には、第２プーリー６９と、該第２プーリー６９を常時後側に付勢する第２コイルスプリング７３とが遊嵌されている。
【００５３】
これにより、第１プーリー６８は、第１スライド軸７０上を移動可能に設けられ、第２プーリー６９は、第２スライド軸７１上を移動可能に設けられる。すなわち、第１スライド軸６８及び第２スライド軸６９は、第１コイルスプリング７２及び第２コイルスプリング７３を安定的に基部３０の軸方向に案内して伸縮させ、第１プーリー６８及び第２プーリー６９を基部３０に対して安定して移動させる機能を有する。
【００５４】
なお、モータ機構３２の左に設けられるワイヤ張力調整機構３３ｂには、上記の４つのプーリーに加え、更に１個の横プーリー７４（固定プーリー）が設けられている。この横プーリー７４は、ワイヤ巻取部６４の後ろ側からワイヤ５８ｂを巻き取らせるためのものであって、この横プーリー７４により、ワイヤ５８ｂは十分な張力が得られるようになっている。
【００５５】
また、立設部３１ｂには、移動回転体２８が原点位置にあるか否かを検出する原点位置検出センサ（図示省略）が設けられており、この原点位置検出センサは、第２ガイド部材４１ｂの後側であって基本コイルスプリング３５ｂの下端が止着される止着部材３６ｂ近傍に配置されている。原点位置検出センサは、光センサで構成され、移動回転体２８が原点位置に位置する場合に、覆い部材４６ｂの下端に設けられた遮光部材（図示省略）が光センサの発光部と受光部との間に進入して光を遮断することにより、移動回転体２８が原点位置にあるか否かを検出する。そして、原点位置検出センサは、移動回転体制御基板３４とハーネス７５で接続され、検出結果、すなわち移動回転体２８が原点位置にあるか否かを示す信号を移動回転体制御基板３４に出力する。なお、原点位置検出センサは、磁気センサなど、他のセンサで構成してもよく立設部３１ａに設けるようにしてもよい。
【００５６】
また、移動回転体制御基板３４には、フレキシブルフラットケーブル（ＦＦＣ）７６の一端が接続されており、その他端は、移動回転体２８に内蔵される後述の図９に示す中継基板７７に接続されている。図中、符号７８は、フレキシブルフラットケーブル７６を保護するための保護部材を示しており、この保護部材７８は、樹脂等の材料により薄肉中空状に形成され、その内部にフレキシブルフラットケーブル７６が遊挿されている。
【００５７】
保護部材７８には、基部３０と接続する下端（原点側の端部）に形成される下ヒンジ７９と、移動回転体２８と接続する上端（進出側の端部）に形成される上ヒンジ８０と、下ヒンジ７９と上ヒンジ８０との間に形成される中ヒンジ８１とが設けられ、移動回転体２８の移動（原点位置と進出位置との間の移動）に伴ってこれら３つのヒンジ７９、８０、８１が回動することにより、保護部材７８が中ヒンジ８１箇所で「く」の字状に折れ曲がったり伸びたりして、伸縮するようになっている。しかも、各ヒンジ間、つまり下ヒンジ７９と中ヒンジ８１との間、及び、上ヒンジ８０と中ヒンジ８１との間は、略波形状に形成され、フレキシブルフラットケーブル７６も保護部材７８の中で、同様に波形状に固定されている。このように構成される保護部材７８により、移動回転体２８の移動に伴ってフレキシブルフラットケーブル７６が損傷するのを防止することができる。
【００５８】
次に、本実施形態に係る演出ユニット２７について、図９〜１４を用いて説明する。
演出ユニット２７は、移動回転体２８を有するもので、当該移動回転体２８は、内部にＬＥＤ９０（光源）が配設された本体部８２と、本体部８２に取り付けられるとともに、ＬＥＤ９０（光源）からの光を透過して所定の表示（本実施形態においては「ＡＡＡ」なる表示であって、パチンコ遊技機１に関する表示とされている）を視認させ得る表示部８３と、上述のサイドカバー４３ａ、４３ｂとを有して構成されている。
【００５９】
本体部８２は、パチンコ遊技機１の枠部材（本実施形態においては、ガラス枠２４）に取り付けられるとともに、カバー部材Ｋ、アウター８４と、駆動機構部８５とを有している。アウター８４及びカバー部材Ｋは、それぞれフットボール状（中央の径が両端より大きく形成された楕円状）に形成された樹脂製部材から成り、カバー部材Ｋ内でアウター８４が回転自在とされるとともに、アウター８４の内部に駆動機構部８５等を収容し得るよう中空状に形成されている。
【００６０】
すなわち、アウター８４及びカバー部材Ｋは、ＬＥＤ９０の光を透過し得るとともに、カバー部材Ｋ内においてアウター８４が回転するよう構成されているのである。駆動機構部８５は、アウター８４の内部に設けられ、その略中央にはベース板８６が設けられている。このベース板８６は、左右両端がサイドカバー４３ａ、４３ｂに固着されている。なお、図９は、移動回転体２８のうち、カバー部材Ｋの手前半分の構成、表示部８３、アウター８４の手前半分の構成及びリフレクターレンズＲを取り除いた図となっている。
【００６１】
ベース板８６には、モータ８７及び中継基板７７が取り付けられている。モータ８７は、駆動により回転するモータ軸８８を有しており、当該モータ軸８８の両端部には、回転ホイール８９ａ、８９ｂが軸着されている。そして、この回転ホイール８９ａ、８９ｂは、その周縁部がアウター８４における両端の周壁に沿って取り付けられている。これにより、モータ８７の駆動によりモータ軸８８が回転すると、その回転に連動して回転ホイール８９ａ、８９ｂが回転するので、アウター８４がモータ軸８８を中心にして回転（揺動）するようになっている。なお、モータ８７は、ステッピングモータから成り、中継基板７７を介して移動回転体制御基板３４とフレキシブルフラットケーブル７６で接続されているので、移動回転体制御基板３４からの指令に基づいて、双方向（正回転、逆回転）に所定のステップ数回転可能に制御される。
【００６２】
中継基板７７の前面側には、複数のＬＥＤ９０（例えば、フルカラーＬＥＤ）が設けられており、これらのＬＥＤ９０は、中継基板７７を介して移動回転体制御基板３４とフレキシブルフラットケーブル７６で接続され、移動回転体制御基板３４からの指令に基づいて、所定の態様に点灯制御される。なお、図１０に示すように、中継基板７７とアウター８４との間には、リフレクターレンズＲが設けられており、このリフレクターレンズＲにより、効率よく発光可能としている。
【００６３】
また、ベース板８６には、アウター８４が所定位置にあるか否かを検出する回転位置検出センサ（図示省略）が設けられており、この回転位置検出センサは、光センサで構成され、アウター８４が所定位置に位置する場合に、回転ホイール８９ｂに設けられた遮光部材（図示省略）が光センサの発光部と受光部との間に進入して光を遮断することにより、アウター８４が所定位置にあるか否かを検出するよう構成されている。
【００６４】
表示部８３は、本体部８２の外周面に沿って取り付けられ、当該本体部８２を覆うとともに、透明又は半透明の樹脂材から成り、本体部８２の内部に配設されたＬＥＤ９０（光源）からの光を透過させて所定の表示（「ＡＡＡ」なる表示）を視認させ得るよう構成されている。本実施形態においては、所定の表示「ＡＡＡ」は、パチンコ遊技機１に関する表示であって、遊技者に対して視認させ得るものとされている。なお、かかる所定の表示に代えて、パチンコ遊技機１に関する表示とは異なる表示としてもよく、表示形態は、文字の他、所定の図柄や写真等であってもよい。
【００６５】
また、表示部８３は、図１１、１２に示すように、複数（本実施形態においては３つ）の弧状板材（８３ａ、８３ｂ、８３ｃ）を有して構成されており、弧状板材８３ａと弧状板材８３ｂとがヒンジ９１にて回動自在に連結されるとともに、弧状板材８３ａと弧状板材８３ｃとがヒンジ９２にて回動自在に連結されている。これら弧状板材（８３ａ、８３ｂ、８３ｃ）は、本体部８２の側面の形状に倣った弧状とされており、ヒンジ９１、９２を折り曲げつつ本体部８２の外周全域に亘って覆うことが可能とされている。
【００６６】
ここで、本実施形態に係る表示部８３は、本体部８２に対して嵌合又は係止によって脱着自在とされたもので、図１３、１４に示すように、本体部８２に対して固定可能なロック部９３を有して構成されている。かかるロック部９３は、表示部８３の弧状板材８３ｂの端部に設けられた係止部材９５と、表示部８３の弧状板材８３ｃの端部に設けられた被係止部材９４とを有して構成されている。また、係止部材９５は、ロ字状に形成された枠状部品から成り、ネジ等の案内部９６が中央の開口部に挿入されることによって、図中左右方向に案内されつつ摺動可能とされている。
【００６７】
そして、弧状板材（８３ａ、８３ｂ、８３ｃ）を本体部８２の外周全域に亘って覆った状態とすると、図１０、１４に示すように、弧状板材８３ｂの端部と弧状板材８３ｃの端部とが近接するので、右側の係止部材９５を左方向に、且つ、左側の係止部材９５を右方向に摺動させることにより、左右一対の係止部材９５をそれぞれ被係止部材９４に係止させることができる。
【００６８】
さらに、本実施形態に係るロック部９３は、パチンコ遊技機１で遊技する遊技者から視認困難な位置に形成されている。すなわち、ロック部９３は、所定の表示（「ＡＡＡ」なる表示）を有する弧状板材８３ａの裏側の位置（弧状板材８３ｂの端部と弧状板材８３ｃの端部とが近接した位置）に形成されているため、遊技者から視認困難とされているのである。これにより、遊技者が意図的にロック部９３のロックを解除してしまうのを防止することができる。
【００６９】
またさらに、本実施形態に係る表示部８３は、ロック部９３によって本体部８２に対して係止によって脱着自在とされているが、他の形態のロック部によって嵌合され、本体部８２に対して脱着自在とされたものであってもよい。また、ロック部９３によるロックは、表示部８３が本体部８２に対して嵌合又は係止によって脱着自在とされていれば足り、例えばネジ等の螺合手段や締結手段によって連結するもの、或いは弾性体の弾性力によって連結するスナップフィット等であってもよい。
【００７０】
次に、図５〜８を用いて、本実施形態に係る移動回転体２８の主な動作について説明する。
移動回転体２８は、通常、図７に示すように、原点位置に位置しており、モータ６０及びウォームギア６３（ウォーム６１及びウォーム歯車６２）のトルクにより、ワイヤ５８ａ、５８ｂがワイヤ巻取部６４に最大限巻き取られている。この移動回転体２８が原点位置に位置する状態では、スライド突起５２ａ、５２ｂは溝４０ａ、４０ｂの下端に当接しており、基本コイルスプリング３５ａ、３５ｂ及び補助コイルスプリング３７ａ、３７ｂは、最も縮小している。
【００７１】
また、この状態では、補助コイルスプリング３７ａ、３７ｂの下端部が規制板３８ａ、３８ｂ（緩衝部材３９ａ、３９ｂ）と当接し、第１ストッパ部４４ａ、４４ｂが第１スライド部材４７ａ、４７ｂ上端と当接し、第２ストッパ部４５ａ、４５ｂが第２スライド部材４８ａ、４８ｂ上端と当接し、第１スライド部材４７ａ、４７ｂ及び第２スライド部材４８ａ、４８ｂは、第１収納溝４９ａ、４９ｂ及び第２収納溝５０ａ、５０ｂに略収納されている。これにより、これ以上の移動回転体２８の原点側への移動が規制されている。
【００７２】
さらに、この移動回転体２８が原点位置に位置する状態では、右側のワイヤ張力調整機構３３ａにおいて、図７に示すように、第１コイルスプリング７２及び第２コイルスプリング７３が縮小し、第１プーリー６８は、第１コイルスプリング７２の付勢力に抗して第２プーリー６９より後側に位置し、第２プーリー６９は、第２コイルスプリング７３の付勢力に抗して第１プーリー６８より前側に位置している。つまり、横プーリー７４から延びるワイヤ５８ａは、最短距離で第１プーリー６８及び第２プーリー６９を経由して略「く」の字状にワイヤ巻取部６４の上段側に誘導される。これは、左側のワイヤ張力調整機構３３ｂについても同様である。
【００７３】
また、移動回転体２８が原点位置に位置する状態では、保護部材７８は、最も縮小した（折れ曲がった）状態になっており、原点位置検出センサは、移動回転体２８の遮光部材によりオンとなり、移動回転体２８が原点位置に位置していることを検出している。しかして、移動回転体２８が原点位置に位置する状態でモータ６０が逆回転すると、モータ６０の逆回転に連動してウォームギア６３（ウォーム６１及びウォーム歯車６２）が逆回転し、それに連動してワイヤ巻取部６４も逆回転する。
【００７４】
これにより、ワイヤ巻取部６４が逆回転した分だけ、ワイヤ５８ａ、５８ｂ、基本コイルスプリング３５ａ、３５ｂ、補助コイルスプリング３７ａ、３７ｂが伸長し、移動回転体２８が原点位置から基本コイルスプリング３５ａ、３５ｂ及び補助コイルスプリング３７ａ、３７ｂが伸長した分だけ進出位置側（以下、第１位置ともいう）へ移動する。なお、この状態でモータ６０が正回転すると、上記と逆の作用により、移動回転体２８は再び原点位置側へ移動する。この動作を短時間で繰り返すと、移動回転体２８は、原点位置と第１位置との間で反復移動（揺動）する、いわゆる「ガタガタ演出」が実行され、原点位置検出センサはオンオフを繰り返す。
【００７５】
次に、移動回転体２８が第１位置に位置する状態で、モータ６０が更に逆回転すると、つまり、移動回転体２８が原点位置に位置する状態から所定のステップ数逆回転すると、クラッチ機構によりウォーム歯車６２からワイヤ巻取部６４への動力伝達が遮断され、ワイヤ巻取部６４は、回転自由の状態になる。すると、ワイヤ５８ａ、５８ｂが解放され、移動回転体２８は、図５、６に示すように、基本コイルスプリング３５ａ、３５ｂ、補助コイルスプリング３７ａ、３７ｂの付勢力により、第１位置から一気に進出位置まで移動する。また、このとき、第１プーリー６８及び第２プーリー６９は、第１コイルスプリング７２及び第２コイルスプリング７３の付勢力により、第１プーリー６８が最も前側に移動し、第２プーリー６９が最も後側に移動する。
【００７６】
すなわち、移動回転体２８が原点位置から進出位置まで移動する場合には、まず、スライド機構５１ａ、５１ｂ（第１スライド部材４７ａ、４７ｂ及び第２スライド部材４８ａ、４８ｂ）は移動することなく、移動回転体２８のみが、基本コイルスプリング３５ａ、３５ｂ、補助コイルスプリング３７ａ、３７ｂの付勢力により、第１ガイド部材４２ａ、４２ｂが第１スライド部材４７ａ、４７ｂ上を進出方向に摺動することで、進出位置側（以下、第２位置ともいう）へ移動し、それに伴ってワイヤ５８ａ、５８ｂが伸長する。
【００７７】
この第２位置は、上記の第１位置よりも進出位置側であって、補助コイルスプリング３７ａ、３７ｂは、最も伸長して進出位置側への付勢力がほぼ失われた状態となっており、基本コイルスプリング３５ａ、３５ｂは、略半分程度の伸長で進出位置側への付勢力を保っている。また、第２位置では、スライド突起５２ａ、５２ｂは溝４０ａ、４０ｂの下端に当接し、補助コイルスプリング３７ａ、３７ｂの下端部が規制板３８ａ、３８ｂ（緩衝部材３９ａ、３９ｂ）と当接した状態となっているものの、第１ストッパ部４４ａ、４４ｂは第１スライド部材４７ａ、４７ｂと離間し、第２ストッパ部４５ａ、４５ｂは第２スライド部材４８ａ、４８ｂと離間し、第１スライド部材４７ａ、４７ｂ及び第２スライド部材４８ａ、４８ｂは、第１収納溝４９ａ、４９ｂ及び第２収納溝５０ａ、５０ｂに対して非収納状態となっている。
【００７８】
そして、この第２位置から、基本コイルスプリング３５ａ、３５ｂの付勢力により、スライド機構５１ａ、５１ｂは、第２スライド部材４８ａ、４８ｂが第２ガイド部材４１ａ、４１ｂ上を進出方向に摺動することで、進出位置側へ移動する。このスライド機構５１ａ、５１ｂの進出位置側への移動により、移動回転体２８は、進出位置側へ移動する。また、移動回転体２８の第２位置から進出位置側への移動により、スライド突起５２ａ、５２ｂは溝４０ａ、４０ｂの下端から離間し、補助コイルスプリング３７ａ、３７ｂは、規制板３８ａ、３８ｂから離間する。
【００７９】
そして、スライド突起５２ａ、５２ｂが溝４０ａ、４０ｂの上端に当接すると、移動回転体２８は、進出位置側への移動を停止する。これにより、移動回転体２８は、進出位置への移動が完了し、ワイヤ５８ａ、５８ｂが最も伸長した状態となる。そして、この進出位置では、既に最も伸長していた補助コイルスプリング３７ａ、３７ｂに加え、基本コイルスプリング３５ａ、３５ｂも、最も伸長して進出位置側への付勢力がほぼ失われた状態となっている。
【００８０】
さらに、移動回転体２８の進出位置への移動が完了するのとほぼ同時に、第１コイルスプリング７２及び第２コイルスプリング７３が最も伸長し、第１プーリー６８は第１コイルスプリング７２の付勢力により最も前側に位置し、第２プーリー６９は第２コイルスプリング７３の付勢力により最も後側に位置するようになる。つまり、横プーリー６７から延びるワイヤ５８ａは、最長距離で第１プーリー６８及び第２プーリー６９を経由して略「Ｎ」字状にワイヤ巻取部６４の上段側に誘導される。
【００８１】
これは、左側のワイヤ張力調整機構３３ｂについても同様である。これにより、移動回転体２８の進出位置への移動に伴ってワイヤ巻取部６４が回転自由の状態になった場合であっても、ワイヤ５８ａ、５８ｂは緩むことがない。また更に、この状態では、保護部材７８は、最も伸長した状態になっており、また、原点位置検出センサは、オフとなる。
【００８２】
なお、移動回転体２８が進出位置から原点位置に移動する場合には、上述した移動回転体２８が原点位置から進出位置に移動する場合と略逆の動作となる。すなわち、移動回転体２８が進出位置に位置する状態でモータ６０が正回転すると、モータ６０の正回転に連動してウォームギア６３（ウォーム６１及びウォーム歯車６２）が正回転し、それに連動してワイヤ巻取部６４も正回転する。モータ６０が正回転する場合、クラッチ機構は、ウォーム歯車６２からワイヤ巻取部６４への動力伝達を常に実行する。
【００８３】
進出位置でワイヤ巻取部６４が正回転すると、まず、ワイヤ５８ａ、５８ｂが巻き取られ、それに伴って第１コイルスプリング７２及び第２コイルスプリング７３が縮小する。すると、第１プーリー６８及び第２プーリー６９が後側及び前側に移動し、ワイヤ５８ａ、５８ｂは、上記の略「Ｎ」字状から略「く」の字状に縮小する。
【００８４】
ワイヤ５８ａ、５８ｂが略「く」の字状に縮小した後、更にワイヤ巻取部６４が正回転すると、移動回転体２８は、進出位置から第２位置まで移動する。この場合、モータ６０（ウォーム歯車６２）のトルクにより、ワイヤ５８ａ、５８ｂが巻き取られ、基本コイルスプリング３５ａ、３５ｂが縮小し、スライド機構５１ａ、５１ｂは、第２スライド部材４８ａ、４８ｂが第２ガイド部材４１ａ、４１ｂ上を原点方向に摺動することで、第２位置側へ移動する。このスライド機構５１ａ、５１ｂの第２位置側への移動により、移動回転体２８は、第２位置側へ移動する。なお、モータ６０の回転速度を変更することにより、移動回転体２８の移動速度に変化を与えるようにしてもよい。
【００８５】
また、移動回転体２８の進出位置から第２位置側への移動により、スライド突起５２ａ、５２ｂは溝４０ａ、４０ｂの上端から離間する。そして、スライド突起５２ａ、５２ｂが溝４０ａ、４０ｂの下端に当接すると、スライド機構５１ａ、５１ｂは、原点位置側への移動を停止する。これにより、移動回転体２８は、第２位置へ移動した状態となる。
【００８６】
ここで、モータ６０が正回転している場合の第２位置では、見た目上、演出ユニット２７の状態は、上述の移動回転体２８が原点位置から第２位置に到達した場合と同じ状態であるが、モータ６０（ウォーム歯車６２）のトルクにより、基本コイルスプリング３５ａ、３５ｂの進出位置側への付勢力に抗して、移動回転体２８を原点位置側へ移動させる力が働いている。
【００８７】
次に、移動回転体２８が第２位置に位置する状態で、モータ６０が更に正回転すると、スライド機構５１ａ、５１ｂは移動することなく、モータ６０（ウォーム歯車６２）のトルクにより、第１ガイド部材４２ａ、４２ｂが第１スライド部材４７ａ、４７ｂ上を原点方向に摺動することで、ワイヤ５８ａ、５８ｂが巻き取られ、基本コイルスプリング３５ａ、３５ｂ、補助コイルスプリング３７ａ、３７ｂが縮小することで、移動回転体２８のみが原点位置側へ移動する。そして、補助コイルスプリング３７ａ、３７ｂの下端部が規制板３８ａ、３８ｂ（緩衝部材３９ａ、３９ｂ）に到達することで、移動回転体２８の原点位置側への移動が停止し、移動回転体２８の原点位置への移動が完了する。
【００８８】
なお、移動回転体２８が原点位置に到達すると、原点位置検出センサがオンすることでモータ６０の正回転は停止するが、仮に、移動回転体２８が原点位置に位置する状態でモータ６０が更に正回転した場合には、ウォームギア６３（ウォーム６１及びウォーム歯車６２）は、ワイヤ５８ａ、５８ｂを巻き取る方向に回転するものの、この場合、トルクリミッタが作動し、ウォーム歯車６２からワイヤ巻取部６４へのトルク伝達は遮断され、ワイヤ巻取部６４は回転しない。
【００８９】
上記から明らかなように、演出ユニット２７において、移動回転体２８が原点位置から進出位置へ移動する場合には、負荷が大きい移動回転体２８の初動動作を、複数の弾性部材、すなわち基本コイルスプリング３５ａ、３５ｂ、補助コイルスプリング３７ａ、３７ｂにより行うようになっている。そして、移動回転体２８が原点位置から所定位置（第２位置）まで進出すると、その後の負荷が小さい動き出し後の動作、すなわち第２位置から進出位置までの移動回転体２８の移動動作は、単数の弾性部材、すなわち基本コイルスプリング３５ａ、３５ｂのみにより行うようになっている。
【００９０】
逆に、移動回転体２８が進出位置から原点位置へ移動する場合には、負荷が大きい移動回転体２８の初動動作を、単数の弾性部材、すなわち基本コイルスプリング３５ａ、３５ｂの付勢力のみに抗してモータ６０が駆動することにより行うようになっている。そして、移動回転体２８が進出位置から所定位置（第２位置）まで後退すると、その後の負荷が小さい動き出し後の動作、すなわち第２位置から原点位置までの移動回転体２８の移動動作は、複数の弾性部材、すなわち基本コイルスプリング３５ａ、３５ｂ、補助コイルスプリング３７ａ、３７ｂの付勢力に抗してモータ６０が駆動することにより行うようになっている。
【００９１】
これにより、本実施形態に係る演出ユニット２７においては、移動回転体２８の原点位置と進出位置との間の移動を、より小さな動力で行うことが可能となり、その結果、駆動力のより小さいモータ６０を用いてコストダウンを図ることが可能となる。また、ワイヤ張力調整機構３３ａ、３３ｂは、モータ６０のトルクにより、移動回転体２８を所定位置に停止させる場合、ワイヤ巻取部６４を回転してワイヤ５８ａ、５８ｂを巻き取る場合、及び、移動回転体２８の進出位置への移動に伴ってワイヤ巻取部６４が回転自由となりワイヤ５８ａ、５８ｂが解放されて伸長した場合において、弾性部材、すなわち第１コイルスプリング７２及び第２コイルスプリング７３の付勢力により、テンションローラとしての第１プーリー６８及び第２プーリー６９を介して常時所定の張力をワイヤ５８ａ、５８ｂに与えるようになっている。
【００９２】
しかして、移動回転体２８の移動を、ワイヤ５８ａ、５８ｂにより円滑に行うことが可能になり、その結果、ワイヤ５８ａ、５８ｂが緩んで移動回転体２８の移動に支障を来すことがない。加えて、ワイヤ５８ａ、５８ｂが他の部品に引っ掛かることにより発生する故障・トラブル等を、未然に防止することも可能となる。また、モータ６０は、所定のステップ数だけ回転制御可能なステッピングモータを使用し、更に、移動回転体２８の原点位置を検出する原点位置検出センサを設け、移動回転体制御基板３４が、モータ６０のステップ数と原点位置検出センサの検出信号とにより、移動回転体２８が原点位置へ移動したか否かを検出するようにしている。
【００９３】
したがって、移動回転体２８の原点位置への移動を、モータ６０のステップ数と原点位置検出センサの検出信号とにより、より精度高く検出することが可能となり、その結果、移動回転体２８の移動に係る演出をより確実に行うことが可能となる。例えば、モータ６０を所定のステップ数回転させて移動回転体２８を原点位置へ移動させる場合、所定のステップ数回転させても原点位置検出センサがオフになっているときは、原点位置検出センサがオンになるまで、更にモータ６０のステップ調整を行う制御などが可能となる。なお、これは、アウター８４を所定位置へ回転制御するための、モータ８７と回転位置検出センサについても同様である。
【００９４】
また、移動回転体制御基板３４と移動回転体２８との制御信号などのやり取りは、フレキシブルフラットケーブル７６で行うようになっており、このフレキシブルフラットケーブル７６は、３つのヒンジ７９、８０、８１を有する波形状の保護部材７８に挿入され、保護されている。
【００９５】
これにより、フレキシブルフラットケーブル７６が遊技者や他の部品と接触することを防止することが可能となり、その結果、フレキシブルフラットケーブル７６の損傷を防止することが可能となる。更に、保護部材７８は、移動回転体２８の移動に伴って「く」の字状に折れ曲がったり伸びたりして伸縮し、しかも各ヒンジ間が波形状に形成されているので、フレキシブルフラットケーブル７６は、移動回転体２８の移動に対して保護部材７８の中で波形状の姿勢を維持し、過度に伸縮することが抑止される。その結果、フレキシブルフラットケーブル７６の耐久性が向上する。すなわち、フレキシブルフラットケーブル７６を保護部材７８で保護することにより、移動回転体２８の移動に係る演出をより確実に行うことが可能となる。
【００９６】
ところで、上記したように、移動回転体制御基板３４は、パチンコ遊技機１の遊技情報を入力し、この入力した遊技情報に基づいてモータ８７及びＬＥＤ９０を制御することにより、移動回転体２８の原点位置と進出位置との間の移動に関連して、アウター８４を所定の態様で回転制御したり、所定の態様で発光制御する構成となっている。しかして、移動回転体２８における回転態様は、アウター８４のみが、モータ８７のモータ軸８８の回転に連動して回転するようになっている。つまり、アウター８４が回転しても、アウター８４の内部に位置するベース板８６は回転しないので、ベース板８６に設けられた中継基板７７及び中継基板７７に設けられたＬＥＤ９０は回転しないようになっている。
【００９７】
すなわち、移動回転体２８の内部には、回転不能に設けられた中継基板７７の片面側に配置され、アウター８４を照射可能な発光手段としてのＬＥＤ９０が設けられている。これにより、回転制御されるアウター８４（及びその外側のカバー部材Ｋ）を、容易且つ確実に発光させることが可能となり、その結果、移動回転体２８の発光に係る演出をより確実に行うことが可能となる。更に、中継基板７７は回転せずに固定されるので、駆動機構部８５における配線の取り回しなどが容易になると共に、回転に伴う故障・トラブルなどを回避することができる。
【００９８】
また、移動回転体２８（アウター８４）の回転態様は、種々考えられ、例えば、回転の速度や範囲、回転方向、回転時間などが変化可能である。同様に、移動回転体２８（アウター８４）の発光態様は、種々考えられ、例えば、点灯、点滅、消灯などの点灯種別やその時間、点滅速度、点灯色、輝度（照度）などが変化可能である。つまり、移動回転体２８は、原点位置と進出位置との間の揺動や停止位置に関連して、移動態様、回転態様及び発光態様を遊技状態に係わって変化させたり、更には、それに伴って音声を変化させたりすることにより、様々な演出を行うことができる。
【００９９】
本実施形態によれば、内部に光源が配設された本体部８２と、該本体部８２に取り付けられるとともに、ＬＥＤ９０（光源）からの光を透過して所定の表示（「ＡＡＡ」なる表示）を視認させ得る表示部８３とを具備した演出ユニット２７であって、表示部８３は、本体部８２に対して嵌合又は係止によって脱着自在とされたので、パチンコ遊技機１の入れ替え等においても、所定の表示を容易に変更できるので、新台入れ替え時のコストを抑制することができる。
【０１００】
また、本体部８２は、パチンコ遊技機１の枠部材（ガラス枠２４）に取り付けられるとともに、表示部８３は、パチンコ遊技機１に関する所定の表示を視認させ得るので、枠部材（ガラス枠２４）を流用しつつパチンコ遊技機１の入れ替え等を行う際、所定の表示を容易に変更できるので、新台入れ替え時のコストを抑制することができる。さらに、表示部８３は、本体部８２に対して固定可能なロック部９３を有するとともに、当該ロック部９３は、パチンコ遊技機１で遊技する遊技者から視認困難な位置に形成されたので、遊技者によって不用意にロック部９３のロックが解除されてしまうのを防止することができる。
【０１０１】
以上、本実施形態について説明したが、本発明はこれに限定されず、内部に光源が配設された本体部と、該本体部に取り付けられるとともに、光源からの光を透過して所定の表示を視認させ得る表示部とを有した演出ユニットを所定部位に備えた遊技機であって、表示部は、本体部に対して嵌合又は係止によって脱着自在とされたものであれば、例えばガラス枠２４以外に取り付けられたもの、操作ボタン等の操作手段が本体部及び表示部を有したもの等であってもよい。
【０１０２】
また、本実施形態においては、本体部８２内の光源がＬＥＤ９０にて構成されているが、ランプ等の他の光源としてもよい。さらに、上記実施形態においては、移動回転体２８が原点位置と進出位置との間で移動可能とされているが、移動しないものに適用してもよく、或いは本体部が回転しないものに適用してもよい。なお、本実施形態においては、パチンコ遊技機１に適用されているが、他の遊技機（例えば、パチスロ等）に適用してもよい。
【産業上の利用可能性】
【０１０３】
表示部が本体部に対して嵌合又は係止によって脱着自在とされた演出ユニットを所定部位に備えた遊技機であれば、外観形状が異なるもの或いは他の機能が付加されたもの等にも適用することができる。
【符号の説明】
【０１０４】
１  パチンコ遊技機
２  ガラス板
３  操作ボタン
４  遊技盤
５  図柄表示部
６  第１始動口
７  電動チューリップ
７ａ  第２始動口
８  大入賞口
９  ゲート
１０  第１特別図柄表示手段
１１  第２特別図柄表示手段
１２  普通図柄表示手段
１３  受け皿
１４  ハンドル
１５  第１特別図柄保留ランプ
１６  第２特別図柄保留ランプ
１７  メイン制御基板
１８  サブ制御基板
１９  演出制御基板
２０  ランプ制御基板
２１  払出制御基板
２２  抽選手段
２３  記憶手段
２４  ガラス枠（枠部材）
２５  外枠
２６  内枠
２７  演出ユニット
２８  移動回転体
２９  支持部材
３０  基部
３１ａ、３１ｂ  立設部
３２  モータ機構
３３ａ、３３ｂ  ワイヤ張力調整機構
３４  移動回転体制御基板
３５ａ、３５ｂ  基本コイルスプリング
３６ａ、３６ｂ  止着部材
３７ａ、３７ｂ  補助コイルスプリング
３８ａ、３８ｂ  規制板
３９ａ、３９ｂ  緩衝部材
４０ａ、４０ｂ  溝
４１ａ、４１ｂ  第２ガイド部材
４２ａ、４２ｂ  第１ガイド部材
４３ａ、４３ｂ  サイドカバー
４４ａ、４４ｂ  第１ストッパ部
４５ａ、４５ｂ  第２ストッパ部
４６ａ、４６ｂ  覆い部材
４７ａ、４７ｂ  第１スライド部材
４８ａ、４８ｂ  第２スライド部材
４９ａ、４９ｂ  第１収納溝
５０ａ、５０ｂ  第２収納溝
５１ａ、５１ｂ  スライド機構
５２ａ、５２ｂ  スライド突起
５３ａ、５３ｂ  止着部材
５４ａ、５４ｂ  止着部
５５ａ、５５ｂ  連結部材
５６ａ、５６ｂ  止着部材
５７ａ、５７ｂ  連結部材
５８ａ、５８ｂ  ワイヤ
５９ａ、５９ｂ  止着部材
６０  モータ
６１  ウォーム
６２  ウォーム歯車
６３  ウォームギア
６４  ワイヤ巻取部
６５  ハーネス
６６  縦プーリー
６７  横プーリー
６８  第１プーリー
６９  第２プーリー
７０  第１スライド軸
７１  第２スライド軸
７２  第１コイルスプリング
７３  第２コイルスプリング
７４  横プーリー
７５  ハーネス
７６  フレキシブルフラットケーブル
７７  中継基板
７８  保護部材
７９  下ヒンジ
８０  上ヒンジ
８１  中ヒンジ
８２  本体部
８３  表示部
８４  アウター
８５  駆動機構
８６  ベース板
８７  モータ
８８  モータ軸
８９ａ、８９ｂ  回転ホイール
９０  ＬＥＤ（光源）
９１、９２  ヒンジ
９３  ロック部
９４  被係止部材
９５  係止部材
９６  案内部
Ｋ  カバー部材
【図１】
2018033814.tif 000003
【図２】
2018033814.tif 000004
【図３】
2018033814.tif 000005
【図４】
2018033814.tif 000006
【図５】
2018033814.tif 000007
【図６】
2018033814.tif 000008
【図７】
2018033814.tif 000009
【図８】
2018033814.tif 000010
【図９】
2018033814.tif 000011
【図１０】
2018033814.tif 000012
【図１１】
2018033814.tif 000013
【図１２】
2018033814.tif 000014
【図１３】
2018033814.tif 000015
【図１４】
2018033814.tif 000016
【手続補正書】
【提出日】平成29年10月26日(2017.10.26)
【手続補正１】
【補正対象書類名】明細書
【補正対象項目名】０００５
【補正方法】変更
【補正の内容】
【０００５】
請求項１記載の発明は、内部に光源が配設された本体部と、該本体部に取り付けられるとともに、前記光源からの光を透過して所定の表示を視認させ得る表示部と、前記本体部及び表示部を有し、回転可能な移動回転体とを有した演出ユニットを所定部位に備えた遊技機であって、前記表示部は、前記本体部に対して嵌合又は係止によって脱着自在とされたことを特徴とする。
【手続補正２】
【補正対象書類名】特許請求の範囲
【補正対象項目名】全文
【補正方法】変更
【補正の内容】
【特許請求の範囲】
【請求項１】
内部に光源が配設された本体部と、
該本体部に取り付けられるとともに、前記光源からの光を透過して所定の表示を視認させ得る表示部と、
前記本体部及び表示部を有し、回転可能な移動回転体と、
を有した演出ユニットを所定部位に備えた遊技機であって、
前記表示部は、前記本体部に対して嵌合又は係止によって脱着自在とされたことを特徴とする遊技機。
【請求項２】
前記本体部は、前記遊技機の枠部材に取り付けられるとともに、前記表示部は、前記遊技機に関する所定の表示を視認させ得ることを特徴とする請求項１記載の遊技機。
【請求項３】
前記表示部は、前記本体部に対して固定可能なロック部を有するとともに、当該ロック部は、前記遊技機で遊技する遊技者から視認困難な位置に形成されたことを特徴とする請求項１又は請求項２記載の遊技機。